(57)【要約】【課題】コネクタの低背化を図ることができ、多数の配線同士の接続に対応し、外部および内部ノイズに対するシールド効果を簡易に達成可能とする。【解決手段】コネクタに用いるレセプタクルは、幅方向と奥行き方向と厚さ方向を有する板形状のレセプタクルハウジングと、レセプタクルハウジングの奥行き方向の各側面に、幅方向に平行に配置された複数のコンタクトと、取付部を有する導電性のシールド部材とを備え、レセプタクルハウジングに、複数のコンタクトおよび取付部が挿入可能な同一形状の複数の溝が形成されている。【選択図】図５
2015011804.tif 000002
【特許請求の範囲】
【請求項１】
幅方向と奥行き方向と厚さ方向を有する板形状のレセプタクルハウジングと、
前記レセプタクルハウジングの前記奥行き方向の各側面に、前記幅方向に平行に配置された複数のコンタクトと、
取付部を有する導電性のシールド部材とを備え、前記レセプタクルハウジングに、前記複数のコンタクトおよび前記取付部が挿入可能な同一形状の複数の溝が形成されているレセプタクル。
【請求項２】
前記シールド部材は、前記幅方向に沿って延在する板状であって、少なくとも、各端部に一つずつの取付部を有することを特徴とする請求項１に記載のレセプタクル。
【請求項３】
請求項１または請求項２に記載のレセプタクルと、
幅方向と奥行き方向と厚さ方向を有する板形状のプラグハウジングと、
前記プラグハウジングの前記奥行き方向の各側面に、前記幅方向に平行に配置されたコンタクトと、
前記プラグハウジングの前記奥行き方向の中央に、前記幅方向に配置された細板形状の補強板と、
前記プラグハウジングの前記幅方向の両側面から突出した位置に設けられた係止部とを備えるプラグと、
からなるコネクタであって、
前記レセプタクルハウジングの前記幅方向の各側面から突出した位置に設けられたホールドダウン部であって、各々が、前記プラグの前記係止部が前記奥行き方向に沿って挿入可能な挿入開口部および内部空間を有するとともに、前記係止部を所定の位置に保持する保持部とを備え、前記挿入開口部と前記内部空間とが、前記ハウジングの奥行き方向に連通する、ホールドダウン部を備えるコネクタ。
【請求項４】
前記補強板が導電性である請求項３に記載のコネクタ。
【請求項５】
前記レセプタクルの各コンタクトが、相補関係の前記プラグの各コンタクトに接触する接点部と、弾性変形部と、固定部とを有し、
前記シールド部材の前記取付部が、前記コンタクトの前記接点部、弾性変形部および固定部と同様な形状の接点部、弾性変形部および固定部を有する、請求項３に記載のコネクタ。
【発明の詳細な説明】
【技術分野】
【０００１】
本発明は、シールド構造を有するコネクタに関する。
【背景技術】
【０００２】
従来、基板と基板とを電気的に接続するために、２つの基板上にそれぞれプラグおよびソケットを設け、基板同士を近づけながらプラグをソケットに挿入することによって、２つの基板上のプリント配線同士を電気的に接続するためのコネクタが知られている（例えば、特許文献１参照）。
【０００３】
また、基板に固定されているコネクタに板状ケーブルが装着されるものが知られている（例えば、特許文献２参照）。特許文献２のコネクタは、上面部、第１側部および第２側部を有し、中空に形成されたハウジングを備え、ハウジングは板状ケーブルの通過を許容する上面開口部と、第２側部側に動こうとする板状ケーブルの補強板の翼部の端面に干渉する第１抜止部と、上面部側に動こうとする補強板に干渉する第２抜止部とを備える。
【先行技術文献】
【特許文献】
【０００４】
【特許文献１】特開２０１３−４１７７１号公報
【特許文献２】特開２０１２−２５２８６４号公報
【発明の概要】
【発明が解決しようとする課題】
【０００５】
特許文献１においては低背化が望まれている。特許文献２においては、多数の配線同士の接続に対応することができず、板状ケーブルを基板のコネクタに装着する際のそれらの位置合わせの精度を高めることができず、補強板を有する板状ケーブルのコストの削減を図ることができず、さらに、外部および内部からのノイズに対するシールド効果を有していないという課題を有している。
【０００６】
本発明は、このような課題を解決するためになされたもので、基板対基板、基板対ＦＰＣ等に用いることができ、低背化を図ることができ、多数の配線同士の接続に対応し、一方を他方に電気的に接続する際の位置合わせの精度を高めることができ、コストの削減を図ることができ、さらに、外部および内部からのノイズに対するシールド効果を簡易に達成することができるコネクタを提供することを目的とする。
【課題を解決するための手段】
【０００７】
コネクタに用いられる本発明に係るレセプタクルは、幅方向と奥行き方向と厚さ方向を有する板形状のレセプタクルハウジングと、前記レセプタクルハウジングの前記奥行き方向の各側面に、前記幅方向に平行に配置された複数のコンタクトと、取付部を有する導電性のシールド部材とを備え、前記レセプタクルハウジングに、前記複数のコンタクトおよび前記取付部が挿入可能な同一形状の複数の溝が形成されていることを特徴とする。
【０００８】
このレセプタクルによると、コネクタの低背化を図ることができ、多数の配線同士の接続に対応し、コネクタの嵌合の際の位置合わせの精度を高めることができ、コストの削減を図ることができ、さらに、外部および内部からのノイズに対するシールド効果を簡易に達成することができる。
【０００９】
上記のレセプタクルにおいて、前記シールド部材は、前記幅方向に沿って延在する板状であって、少なくとも、各端部に一つずつの取付部を有するようにしてもよい。
【００１０】
また、本発明に係るコネクタは、上記のいずれかのレセプタクルと、幅方向と奥行き方向と厚さ方向を有する板形状のプラグハウジングと、前記プラグハウジングの前記奥行き方向の各側面に、前記幅方向に平行に配置されたコンタクトと、前記プラグハウジングの前記奥行き方向の中央に、前記幅方向に配置された細板形状の補強板と、前記プラグハウジングの前記幅方向の両側面から突出した位置に設けられた係止部とを備えるプラグと、からなるコネクタであって、前記レセプタクルハウジングの前記幅方向の各側面から突出した位置に設けられたホールドダウン部であって、各々が、前記プラグの前記係止部が前記奥行き方向に沿って挿入可能な挿入開口部および内部空間を有するとともに、前記係止部を所定の位置に保持する保持部とを備え、前記挿入開口部と前記内部空間とが、前記ハウジングの奥行き方向に連通する、ホールドダウン部を備えることを特徴とする。
【００１１】
このコネクタによると、低背化を図ることができ、多数の配線同士の接続に対応し、一方を他方に電気的に接続する嵌合の際のプラグとレセプタクルとの位置合わせの精度を高めることができ、コストの削減を図ることができ、さらに、外部および内部からのノイズに対するシールド効果を簡易に達成することができる。
【００１２】
このコネクタにおいて、前記補強板が導電性であってもよい。
【００１３】
また、このコネクタにおいて、前記レセプタクルの各コンタクトが、相補関係の前記プラグの各コンタクトに接触する接点部と、弾性変形部と、固定部とを有し、前記シールド部材の前記取付部が、前記コンタクトの前記接点部、弾性変形部および固定部と同様な形状の接点部、弾性変形部および固定部を有するようにしてもよい。
【発明の効果】
【００１４】
本発明によると、コネクタの低背化を図ることができ、多数の配線同士の接続に対応し、一方を他方に電気的に接続する際の位置合わせの精度を高めることができ、コストの削減を図ることができ、さらに、外部および内部からのノイズに対するシールド効果を簡易に達成することができる。
【図面の簡単な説明】
【００１５】
【図１】本発明の実施の形態に係るプラグとレセプタクルとを嵌合したコネクタを示す斜視図であり、（ａ）は、プラグ組立体側から見た斜視図、（ｂ）は、レセプタクル側から見た斜視図である。
【図２】本発明の実施の形態に係るプラグをＦＰＣに固定したプラグ組立体を示す斜視図である。
【図３】図２のＡ−Ａ線から矢印方向に見た断面図である。
【図４】本発明の実施の形態に係るプラグに設けられている補強板の一例を示す斜視図である。
【図５】本発明の実施の形態に係るシールド構造を有するレセプタクルの斜視図であり、（ａ）は、本発明の実施の形態に係るプラグ組立体が取り付けられる側から見た、本発明の実施の形態に係るシールド構造を有するレセプタクルの斜視図、（ｂ）は、（ａ）とは異なる方向から見た、本発明の実施の形態に係るシールド構造を有するレセプタクルの斜視図である。
【図６】本発明の実施の形態に係るプラグ組立体が取り付けられている側から見た、図５（ａ）のシールド構造を有するレセプタクルの分解斜視図である。
【図７】本発明の実施の形態に係るプラグおよびレセプタクルを嵌合する際の手順を説明するための一部拡大斜視図で、本発明の実施の形態に係るプラグおよびレセプタクルの位置合わせを行っている状態を示す一部拡大斜視図である。
【図８】本発明の実施の形態に係るプラグおよびレセプタクルを嵌合する際の手順を説明するための一部拡大斜視図で、本発明の実施の形態に係るプラグをレセプタクルに押し付けた状態を示す一部拡大斜視図である。
【図９】本発明の実施の形態に係るプラグおよびレセプタクルを嵌合する際の手順を説明するための一部拡大斜視図で、本発明の実施の形態に係るプラグをレセプタクル上でスライドさせて嵌合を完了させた状態を示す一部拡大斜視図である。
【図１０】本発明の実施の形態に係るプラグおよびレセプタクルの嵌合の状態を確認する手順を説明するための一部拡大斜視図で、（ａ）は、不完全な嵌合状態を示す一部拡大斜視図、（ｂ）は、正常な嵌合状態を示す一部拡大斜視図である。
【発明を実施するための形態】
【００１６】
以下、本発明の実施の形態に係るコネクタについて、図面を参照して説明する。
【００１７】
図１は、本発明の実施の形態に係る相補関係にあるプラグ１０とレセプタクル２０とが嵌合されたコネクタ１を示す斜視図である。
【００１８】
プラグ１０のコンタクト１１ｃが、ＦＰＣ（ｆｌｅｘｉｂｌｅ  ｐｒｉｎｔｅｄ  ｃｉｒｃｕｉｔｓ：フレキシブルプリント配線板）１００の図示していないコンタクトにはんだ付けされていて、プラグ組立体が構成されている。
【００１９】
ＦＰＣ１００は、例えば、絶縁性のある薄くて柔軟なポリイミド等のベースフィルムと銅箔等の導電性金属を貼り合わせた基材に回路を形成した基板である。後述のとおり、プラグ１０に補強板１３を設けるため、ＦＰＣ１００に、補強板を設けるか否かは任意である。
【００２０】
プラグ１０とレセプタクル２０との嵌合は、後述のとおり、レセプタクル２０のホールドダウン部２４，２５の内部の空間に、プラグ１０の補強板１３の両端部に設けられている係止部１２が挿入され、係止部１２の凹部１４にホールドダウン部２４，２５の係合突起部２４５が係合することによって行われている。凹部１４および係合突起部２４５によって保持部が構成される。
【００２１】
また、図１（ｂ）に示すように、ＦＰＣ１００の長手方向と同じ方向のレセプタクル２０の奥行き方向の両側縁部に沿ってシールド部材３０，３１が取り付けられている。シールド部材３０，３１は、例えば、導電性の金属板を打ち抜き成形および折り曲げ加工することによって形成したもので、通信に影響を与える外部および内部からのノイズを遮蔽するシールド効果を発揮する。
【００２２】
シールド部材３０，３１は、ＦＰＣ１００の幅方向と同じ方向のレセプタクルの幅方向の両端部に、コンタクト２２，２３と同様の形状を有する取付部３０１，３０２，３１１，３１２を有している。これらの取付部が、レセプタクル２０の幅方向の両端近くのコンタクトの取付用の溝２２ａに嵌め込まれている。これにより、シールド部材３０，３１は、レセプタクル２０に固定されている。
【００２３】
図２および図３は、プラグ１０とレセプタクル２０との嵌合が解除されたときのプラグ組立体を示す。
【００２４】
プラグ１０は、ハウジング１１（プラグハウジングに相当するもの）と、ハウジング１１に埋設された複数のコンタクト１１ｃと、補強板１３とを備える。
【００２５】
ハウジング１１は、合成樹脂からなり、ＦＰＣ１００の長手方向に奥行き方向を有し、ＦＰＣ１００の幅方向に幅方向を有し、ＦＰＣ１００の厚さ方向と同じ方向に厚さ方向を有する板形状にモールド成形されている。
【００２６】
複数のコンタクト１１ｃは、ハウジング１１の奥行き方向の各側面に、幅方向に沿って、それぞれ等間隔で平行に配置されている。各コンタクト１１ｃは、ハウジングから図２において見える側に露出している接点部と、ＦＰＣ１００側に露出して、ＦＰＣ１００の導電性金属にはんだ付けされている接点部とを有する。図２において見える側に露出する接点部は、レセプタクル２０のコンタクト２２，２３の対応する接点部と接触する。
【００２７】
ハウジング１１の奥行方向の中央、つまり、両側面に設けられているコンタクト２２，２３のコンタクト列の間には、幅方向に沿って、補強板１３が埋め込まれている。補強板１３は、例えば、ステンレス鋼の板材から細板形状に形成されている。
【００２８】
図４に示すように、補強板１３は、強度を高めるため、幅方向に沿って表側に突出する凸部を有するように形成されており、その裏面側には、その凸部に沿った空間からなる凹部１４が形成されている。
【００２９】
ただし、補強板１３の形状はそのような凸部を有するものに限定されず、所定の強度を発揮できるのであれば、例えば、短手方向の断面形状がＬ字型のものでもＩ型のものでもよい。
【００３０】
また、補強板１３は、導電性を有しており、接地プレートとして機能することにより、コネクタ１として組み立てられた際に、クロストーク等の通信障害の防止を図るように機能することができる。
【００３１】
図２に示すように、補強板１３の長手方向の両端部は、ハウジング１１の幅方向の両端部から突出しており、その突出した部分には、ハウジング１１と同一の素材の合成樹脂によって矩形形状の係止部１２が設けられている。このため、係止部１２は、プラグ１０がＦＰＣ１００に固定されると、図２に示すように、ＦＰＣ１００の幅方向の位置から飛び出る位置に配置される。
【００３２】
係止部１２は、ハウジング１１を形成する際に一体成型することができ、また、レセプタクル２０のホールドダウン部２４，２５の内部の空間に挿入できる大きさに形成されている。
【００３３】
また、係止部１２は、図３に示すように、コンタクト１１ｃのレセプタクル２０の接点部と接触する側（図３の上側）の接点部が露出する面より上方の位置にある滑動面１２ｓと、滑動面１２ｓの両縁部からＦＰＣ１００に向かって延在する側面を有する。滑動面１２ｓは、後述するように、レセプタクル２０の案内部２１２の案内面２１２ｇ上を滑動する。側面の一方は、プラグ１０とレセプタクル２０とを嵌合させる際の位置決めのための基準面として機能する。
【００３４】
図５（ａ）および図５（ｂ）は、それぞれ異なる方向から見たレセプタクル２０の斜視図であり、図６は、レセプタクル２０の分解斜視図である。これらの図を参照しながらレセプタクル２０の構造の詳細を説明する。
【００３５】
レセプタクル２０は、ハウジング２１（レセプタクルハウジングに相当するもの）とコンタクト２２，２３とホールドダウン部２４，２５とを備える。
【００３６】
ハウジング２１は、例えば、ＬＣＰ（Liquid Crystal Polymer：液晶ポリマー）等の合成樹脂により形成した枠状体で、幅方向と奥行き方向と厚み方向を有する板形状に形成されていて、コンタクト装着部２１１と、コンタクトの嵌合時にプラグ１０の係止部１２を案内するための案内部２１２とからなる。
【００３７】
レセプタクル２０のハウジング２１の幅方向、奥行き方向および厚さ方向は、プラグ１０とレセプタクル２０とを嵌合させたときのプラグ１０のハウジング１１の幅方向、奥行き方向および厚さ方向に一致する。
【００３８】
コンタクト装着部２１１は、奥行き方向の各側面に、幅方向に沿って平行で等間隔に形成された複数の溝２２ａを有する。各溝２２ａには、１つのコンタクト２２，２３が装着される。コンタクト２２，２３の個数および位置は、プラグ１０のコンタクト１１ｃの個数および位置に対応する。
【００３９】
ただし、この実施の形態では、ハウジング２１の長手方向の両端に位置する溝２２ａは、後述するシールド部材３０，３１を固定するために用いており、そのハウジング２１の長手方向の両端に位置する溝２２ａにはコンタクト２２，２３は取り付けられていない。このため、プラグ１０のコンタクト１１ｃの個数および位置は、レセプタクル２０において、シールド部材３０，３１を固定するために使用する溝２２ａの個数および位置も考慮して決定されている。
【００４０】
各コンタクト２２，２３は、プラグ１０のコンタクト１１ｃの接点部と接触するための湾曲した接点部２２ｃ，２３ｃと、図示していない基板の接点に接続するための接点部２２ｂ，２３ｂと、コンタクト装着部２１１の溝２２ａ内に固定される固定部２２ｆ，２３ｆと、固定部と湾曲した接点部との間の弾性変形部２２ｓ，２３ｓとからなる。
【００４１】
また、レセプタクル２０の各側面に配置されるコンタクト列を覆うように、各シールド部材３０，３１が取り付けられている。
【００４２】
シールド部材３０，３１には、取付部３０１，３０２，３１１，３１２が形成されている。取付部３０１，３０２，３１１，３１２は、接点部３０１ｃ，３０２ｃ，３１１ｃ，３１２ｃ、固定部３０１ｆ，３０２ｆ，３１１ｆ，３１２ｆおよび弾性変形部３０１ｓ，３０２ｓ，３１１ｓ，３１２ｓを有する。
【００４３】
接点部３０１ｃ，３０２ｃ，３１１ｃ，３１２ｃ、固定部３０１ｆ，３０２ｆ，３１１ｆ，３１２ｆおよび弾性変形部３０１ｓ，３０２ｓ，３１１ｓ，３１２ｓは、いずれも同一の形状の溝２２ａに挿入されるようにしているため、各コンタクト２２，２３の接点部２２ｃ，２３ｃ、固定部２２ｆ，２３ｆおよび弾性変形部２２ｓ，２３ｓと同様な形状を有している。
【００４４】
シールド部材３０，３１は、取付部３０１，３０２，３１１，３１２が、ハウジング２１の長手方向の両端に位置するそれぞれの溝２２ａに挿入され、固定部３０１ｆ，３０２ｆ，３１１ｆ，３１２ｆがそれらの溝に嵌め込まれることにより、レセプタクル２０に固定されている。
【００４５】
シールド部材３０，３１の接点部３０１ｃ，３０２ｃ，３１１ｃ，３１２ｃは、基板のグランド接続用の接点部に接触している。これにより、シールド部材３０，３１がグランド接続されてシールド効果が発揮されている。
【００４６】
また、コンタクト装着部２１１の幅方向の両端部であって、案内部２１２の近傍には、ホールドダウン部２４，２５を取り付けるための貫通孔２４３ｈ，２４４ｈ，２５３ｈ，２５４ｈが形成されている。これらの貫通孔には、ホールドダウン部２４，２５の取付部２４３ａ，２４４ａ，２５３ａ，２５４ａが挿入されて固定されている。
【００４７】
ホールドダウン部２４，２５は、向かい合った場合に鏡像の関係、つまり、それらの間の平面に関して対称の形状である。
【００４８】
ホールドダウン部２４，２５は、例えば、銅合金材により、概略、中空の角柱形状に形成されており、具体的には、コンタクト装着部２１１の面に対し直交する方向に配置された本体壁部２４１，２５１と、本体壁部２４１，２５１の図６において上端側からコンタクト装着部２１１の面と平行に互いに対向する方向に延在する押壁部２４２，２５２とを有する。
【００４９】
さらに、本体壁部２４１，２５１の図６において下端側からコンタクト装着部２１１の面と平行に互いに対向する方向に固定壁２４３，２５３が延在し、固定壁２４３，２５３の端部から脚部２４３ａ，２５３ａが上方に延在している。
【００５０】
また、押壁部２４２，２５２の対向側の端面から本体壁部２４１，２５１と平行に下方に向かって停止壁２４４，２５４が延在し、停止壁２４４，２５４の下端からコンタクト装着部２１１の面と平行に互いに対向する方向に固定壁２４６，２５６が延在し、固定壁２４６，２５６の端部から上方に向かって脚部２４４ａ，２５４ａが延在している。
【００５１】
ホールドダウン部２４，２５の脚部２４３ａ，２５３ａが、それぞれ、コンタクト装着部２１１の貫通孔２４３ｈ，２４４ｈに挿入されて固定されている。また、ホールドダウン部２５の脚部２５３ａ，２５４ａが、それぞれ、コンタクト装着部２１１の貫通孔２５３ｈ，２５４ｈに挿入されて固定されている。
【００５２】
押壁部２４２，２５２には、固定壁２４６，２５６側に向かって突出する係合突起部２４５，２５５が形成されている。係合突起部２４５，２５５は例えばプレス加工によって形成することができる。押壁部２４２，２５２は、変形可能で弾性を有し、これにより、係合突起部２４５，２５５は、外側に向けて持ち上げられる力が加えられた後にその力が除かれると、原位置に復帰することができる。
【００５３】
ホールドダウン部２４，２５を構成する隔壁部２４１，２４２，２４３等と案内部２１２の案内面２１２ｇとによって、ホールドダウン部２４，２５の内部空間が画定されている。
【００５４】
プラグ１０とレセプタクル２０とが嵌合する際に、係合突起部２４５，２５５は、係止部１２の補強板１３の部分を乗り越えて凹部１４に嵌ることができ、これにより、プラグ１０とレセプタクル２０とを正しい位置で嵌合させることができる。
【００５５】
連続する押壁部２４２，２５２、本体壁部２４１，２５１、固定壁２４３，２５３および脚部２４３ａ，２５３ａの端面によって、嵌合の際にプラグ１０およびレセプタクル２０の位置合わせのための基準面２４１ｂ，２５１ｂが形成されている。
【００５６】
基準面２４１ｂ，２５１ｂと案内部２１２とによって、プラグ１０の係止部１２が挿入されるための挿入開口部が形成されている。挿入開口部は、ホールドダウン部２４，２５の内部空間とハウジング２１の奥行き方向に連通している。
【００５７】
また、停止壁２４４，２５４の挿入開口部側の端面によって停止部２４４ｂ，２５４ｂが形成されている。これらの停止部は、プラグ１０とレセプタクル２０とを嵌合する際に、プラグ１０の係止部１２が適正な嵌合の位置を越えないように、係止部１２を所定の位置に停止させるように機能する。
【００５８】
図５（ａ）において、ホールドダウン部２４，２５の固定壁２４３，２５３，２４６，２５６の下側の面が、図示しない基板にリフローはんだ付け等されることによって、コンタクト２０が基板に固定されている。
【００５９】
次に、図７から図９を参照しながら、本発明の実施の形態に係るプラグ１０およびレセプタクル２０を各ハウジングの奥行き方向に沿ってスライド嵌合させる際の手順を説明する。なお、これらの図には、プラグ１０の一方側の係止部１２およびレセプタクル２０のホールドダウン部２４側のみが示されているが、プラグ１０の他方側の係止部１２およびレセプタクル２０のホールドダウン部２５にも、図に表示されているものと同様な手順が適用される。
【００６０】
最初に、概略、プラグ組立体のプラグ１０の幅方向とレセプタクル２０の幅方向とを整列してそれらを対向させた状態で近づけ、それらを少しずらして平行に保持する。レセプタクル２０にプラグ１０が近づくと、図７に示すように、レセプタクル２０のホールドダウン部２４，２５の基準面２４１ｂ，２５１ｂに、プラグ１０の係止部１２の一方の側面（図７において右側の側面）を平行に近づけて配置する。これにより、嵌合の際にプラグ１０の係止部１２とレセプタクル２０のホールドダウン部２４，２５との位置決めを確実に行うことができる。
【００６１】
図７の状態では、プラグ１０の平面とレセプタクル２０の平面とが対向し、プラグ１０のレセプタクル２０に対向した平坦な面に、レセプタクル２０のコンタクト２２，２３の湾曲した接点部２２ｃ，２３ｃが接触した状態にある。ただし、コンタクト２２，２３の湾曲した接点部２２ｃ，２３ｃは、プラグ１０のコンタクト１１ｃに適正に接触してはいない。
【００６２】
次に、図８において、矢印Ｂで示すように、プラグ組立体のＦＰＣ１００をレセプタクル２０に向かって押すと、プラグ１０のレセプタクル２０に対向した平坦な面によってレセプタクル２０のコンタクト２２，２３の湾曲した接点部２２ｃ，２３ｃが溝２２ａに向かって押し付けられる。これにより、レセプタクル２０のコンタクト２２，２３の弾性変形部２２ｓ，２３ｓが変形して、図８に示すように、ホールドダウン部２４，２５の挿入開口部に、係止部１２が対向するように配置されることになる。この状態では、プラグ１０の係止部１２の滑動面１２ｓが、レセプタクル２０の案内部２１２の案内面２１２ｇに乗っかっている。
【００６３】
次に、プラグ組立体をレセプタクル２０に押し付けながら、図９において矢印Ｃで示すように、係止部１２の滑動面１２ｓを、レセプタクル２０の案内部２１２の案内面２１２ｇ上をスライド移動して、係止部１２を、ホールドダウン部２４，２５の挿入開口部から内部の空間に挿入する。このとき、係止部１２の内側の面（ハウジング１１の幅方向に対して垂直な面）が、レセプタクル２０の案内部２１２の内側の面（ハウジング２１の幅方向に対して垂直な面）によって案内される。
【００６４】
一方、係止部１２がホールドダウン部２４，２５の挿入開口部から内部の空間に挿入されるとき、ホールドダウン部２４，２５の押壁部２４２，２５２の係合突起部２４５，２５５は、係止部１２の補強板１３の短手方向の側端部に当接する。
【００６５】
さらに、係止部１２がホールドダウン部２４，２５の内部の空間に押し込まれると、係合突起部２４５，２５５は、係止部１２の補強板１３の短手方向の側端部に乗り上げ、さらにそれを乗り越えて凹部１４に嵌り込む。
【００６６】
これにより、係合突起部２４５，２５５は原位置に復帰することになる。これは、係合突起部２４５，２５５が形成されている押壁部２４２，２５２が変形可能で弾性を有するからである。
【００６７】
プラグ１０とレセプタクル２０との嵌合を解除する際には、プラグ組立体をＦＰＣ１００の面に沿った方向にレセプタクル２０と相対的にスライド移動させて、ホールドダウン部２４，２５の内部から係止部１２を引き出すようにする。
【００６８】
このとき、係合突起部２４５，２５５が、凹部１４から補強板１３の曲面に沿って外側に向かって押し上げられ、補強板１３の端部を乗り越えて係止部１２から外れると、係合突起部２４５，２５５は、押壁部２４２，２５２の弾性により原位置に復帰する。この時点で、プラグ１０とレセプタクル２０との嵌合が解除されたことになる。
【００６９】
次に、図１０を参照しながら、プラグ１０およびレセプタクル２０の嵌合が適正か否かを確認する手順を説明する。
【００７０】
図１０（ａ）では、レセプタクル２０のホールドダウン部２４の係合突起部２４５とプラグ１０の係止部１２の凹部１４との位置がずれているのが目視で確認することができる。これは、係合突起部２４５が、凹部１４に適切に嵌り込んでなく、原位置に復帰できていない状態を意味する。このため、この状態では、嵌合は未完了である。
【００７１】
図１０（ｂ）では、レセプタクル２０のホールドダウン部２４の係合突起部２４５が、プラグ１０の係止部１２の凹部１４に嵌り込んでいることが目視で確認することができる。これは、係合突起部２４５が、凹部１４に適切に嵌り込んでいて、原位置に復帰できている状態である。この状態は正常な嵌合である。
【００７２】
上記の実施の形態では、シールド部材３０，３１が、レセプタクル２０のコンタクトが挿入される溝２２ａの一部を利用して取り付けられており、シールド部材３０，３１の長手方向の長さがハウジング２１の幅方向内に収まっており、また、シールド部材３０，３１の短手方向の長さがハウジング２１の厚み方向内に収まっているため、コネクタの低背化を図ることができる。
【００７３】
上記の実施の形態では、レセプタクル２０の各側面に配置したシールド部材３０，３１が、レセプタクル２０の各側面のコンタクトを覆っている。これに代えて、４本または６本のコンタクトのグループごとに各シールド部材で覆うようにしてもよい。この場合には、４本または６本のコンタクトのグループの両側に隣接する溝２２ａを、シールド部材３０，３１の取付部３０１，３０２，３１１，３１２を挿入して固定するために用い、これらの取付部によってグランド接続が行われるようにする。
【００７４】
上記の実施の形態では、レセプタクル２０のホールドダウン部２４，２５に係合突起部２４５，２５５を設け、プラグ１０の係止部１２に凹部１４を形成して、係合突起部２４５，２５５が、凹部１４に嵌り込むようにした。これに代えて、例えば、係止部１２に係合突起部を形成し、ホールドダウン部２４，２５の押壁部２４２，２５２に、その係止部１２に係合突起部が嵌り込む凹部を形成するようにしてもよい。この場合、係止部１２に、係合突起部が突出したり引っ込んだりするような弾性を持たせてもよく、または、押壁部２４２，２５２の一部を弾性変形できるようにして、その部分に、係合突起部が嵌り込むような凹部が形成されるようにしてもよい。
【００７５】
また、上記の実施の形態では、レセプタクル２０のホールドダウン部２４，２５の係合突起部２４５，２５５が、プラグ１０の係止部１２の凹部１４に嵌り込むことによって、プラグ１０とレセプタクル２０との嵌合の確認を行えるようにした。これに代えて、ホールドダウン部２４，２５に係合突起部２４５，２５５を形成せず、また、係止部１２に凹部１４を形成せずに、係止部１２の基準面となる側面が、ホールドダウン部２４，２５の停止壁２４４，２５４の挿入開口部側の端面に形成した停止部２４４ｂ，２５４ｂに当接すると、嵌合が完了したと判断するようにしてもよい。この場合には、停止部２４４ｂ，２５４ｂが保持部として機能する。
【００７６】
この構成の場合には、係合突起部と凹部との係合がなくても、レセプタクル２０のコンタクト２２，２３の弾性力によって、プラグ１０の係止部１２の補強板１３が設けられている面が、ホールドダウン部２４，２５の押壁部２４２，２５２の内側の面に押し付けられるため、その位置における摩擦力により、プラグ１０とレセプタクル２０との嵌合は容易に解除されることはない。
【００７７】
なお、本発明に係るコネクタの技術的範囲は、上記の実施の形態に限定されるものではなく、本発明の範囲を逸脱しない限り、種々の変更や改変を含むものである。
【符号の説明】
【００７８】
１  コネクタ
１０  プラグ
１１，２１  ハウジング（プラグハウジング、レセプタクルハウジング）
１１ｃ，２２，２３  コンタクト
１２  係止部
１２ｓ  滑動面
１３  補強板
１４  凹部
２０  レセプタクル
２４，２５  ホールドダウン部
３０，３１  シールド部材
１００  ＦＰＣ
２１２  案内部
２１２ｇ  案内面
２４２  押壁部
２４５  係合突起部
３０１，３０２，３１１，３１２  取付部
【図１】
2015011804.tif 000003
【図２】
2015011804.tif 000004
【図３】
2015011804.tif 000005
【図４】
2015011804.tif 000006
【図５】
2015011804.tif 000007
【図６】
2015011804.tif 000008
【図７】
2015011804.tif 000009
【図８】
2015011804.tif 000010
【図９】
2015011804.tif 000011
【図１０】
2015011804.tif 000012